【事件の表示】
　特許第３１２００４３号「ＩＣカード用コネクタにおけるイジェクト機構」の請求項１ないし９に係る特許に対する特許異議の申立てについて、次のとおり決定する。
【結　論】
　訂正を認める。
　特許第３１２００４３号の請求項１ないし４に係る特許を維持する。
【理　由】
１、手続の経緯
　本件特許第３１２００４３号に係る発明は、平成８年１１月２７日に特許出願され、平成１２年１０月１３日に特許権の設定登録がされ、特許異議申立人・坂本　聡よりその請求項１ないし９に係る特許に対して特許異議の申立てがなされ、平成１３年１０月２４日付けで取消理由が通知された後、平成１３年１２月７日に訂正請求がされたものである。
　
２、訂正の適否
（１）訂正の内容
イ、訂正事項１
　願書に添付した明細書（以下、「特許明細書」という。）の特許請求の範囲の欄の【請求項１】、【請求項２】、【請求項４】、【請求項５】、【請求項７】を削除する。
　
ロ、訂正事項２
　特許明細書の特許請求の範囲の欄の、
「【請求項３】カードケースの後端面にカード受口を有し、ＩＣカードを該カード受口を通してカードケースのカード収容室内へ挿入し、該挿入されたＩＣカードの各電極パッドをカードケース内に設けられた各コンタクトと接触せしめるようにしたＩＣカード用コネクタにおいて、上記カードケースの前端面に上記カード受口と対向せるプッシャー案内口を開口させ、該プッシャー案内口を通してカードケース外からカード収容室内へ挿入されるカードプッシャーを備え、
該カードプッシャーを上記案内口内において上記カード受口へ向け移動することによりＩＣカード前端面を押圧してＩＣカード後端部を上記カード受口から押出す構成とし、上記ＩＣカード用コネクタを内蔵せる機器外壁に操作部材をカード挿抜方向へ往復移動可能に設け、該操作部材を使用者がカード受口へ向けスライド操作することによって上記カードプッシャーをカード受口へ向け押圧移動させ上記ＩＣカードの押出しを行なう構成としたことを特徴とするＩＣカード用コネクタにおけるイジェクト機構。」
を、
「【請求項
１
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、
該操作部材を上記カードプッシャーに当接して
と訂正する。（下線部は訂正個所を示す。以下、同じ。）
　
ハ、訂正事項３
　特許明細書の特許請求の範囲の欄の、
「【請求項５】上記カードケースの前端面に上記各コンタクトの圧入孔を開口させ、上記各コンタクトの一端に連設された配線回路基板接続用の端子片を上記圧入孔を通してカードケース外に突出させ、上記プッシャー案内口を該コンタクト圧入孔と連設したことを特徴とする請求項３又は４記載のＩＣカード用コネクタにおけるイジェクト機構。」
を、
「【請求項
２
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該操作部材を上記カードプッシャーに当接して
と訂正する。
　
ニ、訂正事項４
　特許明細書の特許請求の範囲の欄の、
「【請求項８】上記案内口の前端部をカードケースの前端面において開口させたことを特徴とする請求項６又は７記載のＩＣカード用コネクタにおけるイジェクト機構。」
を、
「【請求項３】上記案内口の前端部をカードケースの前端面において開口させたことを特徴とする請求項
２
と訂正する。
　
ホ、訂正事項５
　特許明細書の特許請求の範囲の欄の、
「【請求項９】上記カードプッシャーをカードケースの天板上面に案内されてＩＣカード挿抜方向にスライドするように支持したことを特徴とする請求項１又は２又は３又は４又は６又は７記載のＩＣカード用コネクタにおけるイジェクト機構。」
を、
「【請求項４】上記カードプッシャーをカードケースの天板上面に案内されてＩＣカード挿抜方向にスライドするように支持したことを特徴とする請求項
２
と訂正する。
　
ヘ、訂正事項６
　特許明細書の発明の詳細な説明の欄の、
「【００１３】上記カードプッシャ−は上記ＩＣカード用コネクタを内蔵せる機器外壁にカ一ド挿抜方向へ往復移動可能に設けた操作部材によって作動されるように配置する。例えばカメラの外面に沿いスライド操作できる操作ボタンを上記カードプッシャーと係合可能に配置し、この操作ボタンをカード受口へ向けスライドすることにより上記カードプッシャーを押圧し、前記ＩＣカードをカード受口から押出す。」
を、
「【００１３】上記カードプッシャ−は上記ＩＣカード用コネクタを内蔵せる機器外壁にカ一ド挿抜方向へ往復移動可能に設けた操作部材によって作動されるように配置する。例えばカメラの外面に沿いスライド操作できる操作ボタンを上記カードプッシャーと係合可能に配置し、この操作ボタンをカード受口へ向けスライドすることにより
該操作部材を上記カードプッシャーに当接して
と訂正する。
　
ト、訂正事項７
　特許明細書の発明の詳細な説明の欄の、
「【００１４】又は上記カードプッシャー自身が上記ＩＣカード用コネクタを内蔵せる機器側に設けた操作部材を兼ねる。換言すると上記操作ボタンがプッシャー案内口を通してＩＣカードに作用するカードプッシャーを兼ねることができる。」を削除する。
　
チ、訂正事項８
　特許明細書の発明の詳細な説明の欄の、
「【００３８】又は上記カードプッシャー１７は上記ＩＣカード用コネクタを内蔵せる機器側に設けた操作手段を形成するように配置する。」を削除する。
　
リ、訂正事項９
　特許明細書の発明の詳細な説明の欄の、
「【００４１】又は上記カードプッシャー１７自身が操作ボタン２３を兼用するように構成できる。即ちカードプッシャー１７を機器の外壁２２にカード挿抜方向へスライド操作可能に設けてカード前端面１６に作用するように配置できる。換言すると、上記操作ボタン２３自身を上記プッシャー案内口１５を通してＩＣカード６の前端面に作用するように配置してカードプッシャー１７として兼用させることができる。」を削除する。
　
ヌ、訂正事項１０
　特許明細書の発明の詳細な説明の欄の、
「【００４８】又は第１実施形態例と同様に、上記カードプッシャー１７自身を操作ボタンに兼用することができる。上記カードプッシャー１７は一端に受圧部２１′を折曲形成する構造であるから、略カードケース１の厚みの範囲に形成することができ薄形化が可能である。」
を、
「【００４８
】上
と訂正する。
　
（２）訂正の目的の適否、新規事項の有無及び拡張・変更の存否
イ、訂正事項１について
　訂正事項１は、特許明細書の特許請求の範囲の欄の【請求項１】、【請求項２】、【請求項４】、【請求項５】、【請求項７】を削除するものであるから、特許請求の範囲の減縮を目的とするものである。
　そして、請求項の削除は、特許明細書に記載されていた事項の範囲内においてした訂正であり、実質上特許請求の範囲を拡張し又は変更するものではない。
　
ロ、訂正事項２について
　訂正事項２は、特許明細書の【請求項３】に、
Ａ，「
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
Ｂ，ＩＣカードの電極パッドがその「
下面に配された」
Ｃ，各コンタクトの「
上記弾性条片の自由端」
Ｄ，「
該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、
Ｅ，「
該操作部材を上記カードプッシャーに当接して」
のＡないしＥの点を付加して技術的に限定を付し、新たな【請求項１】としたものであるから、訂正事項２は、特許請求の範囲の減縮を目的とするものである。
　
　そして、
　上記Ａに係る点は、特許明細書の【００２０】、【００２１】欄に、
　上記Ｂに係る点は、特許明細書の【００１８】欄に、
　上記Ｃに係る点は、特許明細書の【００２０】、【００１８】欄に、
　上記Ｄに係る点は、特許明細書の【００２５】、【００３５】欄に、
　上記Ｅに係る点は、特許明細書の【００４０】欄に、
それぞれ記載されている点からみて、特許明細書に記載されていた事項の範囲内においてした訂正である。
　また、訂正事項２に係る訂正は、特許明細書記載の発明の課題に変更を及ぼすものではないから、実質上特許請求の範囲を拡張し又は変更するものではない。
　
ハ、訂正事項３について
　訂正事項３は、特許明細書の【請求項６】に、
Ａ，「
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
Ｂ，ＩＣカードの電極パッドがその「
下面に配された」
Ｃ，各コンタクトの「
上記弾性条片の自由端」
Ｄ，「
該操作部材を上記カードプッシャーに当接して」
のＡないしＤの点を付加して技術的に限定を付し、新たな【請求項２】としたものであるから、訂正事項３は、特許請求の範囲の減縮を目的とするものである。
　
　そして、
　上記Ａに係る点は、特許明細書の【００２０】、【００２１】欄に、
　上記Ｂに係る点は、特許明細書の【００１８】欄に、
　上記Ｃに係る点は、特許明細書の【００２０】、【００１８】欄に、
　上記Ｄに係る点は、特許明細書の【００４０】欄に、
それぞれ記載されている点からみて、特許明細書に記載されていた事項の範囲内においてした訂正である。
　また、訂正事項３に係る訂正は、特許明細書記載の発明の課題に変更を及ぼすものではないから、実質上特許請求の範囲を拡張し又は変更するものではない。
　
ニ、訂正事項４について
　訂正事項４は、特許明細書の【請求項８】が、特許明細書の請求項６又は７を引用していたものであったところ、上記訂正事項１ないし３に係る訂正により、訂正後の請求項２（特許明細書の請求項６）を引用するものとしたものであるから、特許請求の範囲の減縮を目的とするものである。
　また、訂正事項４に係る訂正は、特許明細書記載の発明の課題に変更を及ぼすものではないから、実質上特許請求の範囲を拡張し又は変更するものではない。
　
ホ、訂正事項５について
　訂正事項５は、特許明細書の【請求項９】が、特許明細書の請求項１又は２又は３又は４又は６又は７を引用していたものであったところ、上記訂正事項１ないし３に係る訂正により、訂正後の請求項２（特許明細書の請求項６）を引用するものとしたものであるから、特許請求の範囲の減縮を目的とするものである。
　また、訂正事項５に係る訂正は、特許明細書記載の発明の課題に変更を及ぼすものではないから、実質上特許請求の範囲を拡張し又は変更するものではない。
　
ヘ、訂正事項６について
　訂正事項６は、特許明細書の【００１３】欄の記載と、上記訂正事項２、３による訂正後の請求項１、２の記載を整合させるものであり、明りょうでない記載の釈明を目的とするものである。
　また、訂正事項６に係る訂正は、特許明細書記載の発明の課題に変更を及ぼすものではないから、実質上特許請求の範囲を拡張し又は変更するものではない。
　
ト、訂正事項７ないし１０について
　訂正事項７ないし１０は、上記訂正事項２、３により、カードプッシャーが操作部材を兼ねる場合を請求した特許明細書の請求項２、４、７を削除したことに伴い、これを説明する【００１４】、【００３８】、【００４１】欄を削除し、かつ、【００４８】欄の該当する記載を削除したものであるから、明りょうでない記載の釈明を目的とするものである。
　また、訂正事項７ないし１０に係る訂正は、特許明細書記載の発明の課題に変更を及ぼすものではないから、実質上特許請求の範囲を拡張し又は変更するものではない。
　
　以上のとおりであるから、本件に係る訂正請求は、特許法第１２０条の４第２項１、２号に掲げる事項を目的とするものであり、特許法第１２０条の４第３項で準用する特許法第１２６条第２、３項の規定に適合するので、当該訂正を認める。
　
３、特許異議申立についての判断
（１）本件発明
　本件に係る発明についてした訂正請求は、上記２のとおりの理由で認められるものであるから、本件に係る発明は、訂正請求書に添付した訂正明細書の特許請求の範囲の請求項１ないし４に記載された以下のとおりものである。（以下、それぞれ「本件発明１ないし４」という。）
　
【請求項
１
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、
該操作部材を上記カードプッシャーに当接して
　
【請求項
２
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該操作部材を上記カードプッシャーに当接して
　
【請求項３】上記案内口の前端部をカードケースの前端面において開口させたことを特徴とする請求項
２
　
【請求項４】上記カードプッシャーをカードケースの天板上面に案内されてＩＣカード挿抜方向にスライドするように支持したことを特徴とする請求項
２
　
　
（２）特許異議申立の理由の概要
　特許異議申立人・坂本　聡は、証拠方法として、
　　甲第１号証（特開平４−２６８６８６号公報）
　　甲第２号証（特開平２−２５３３８７号公報）
を提示し、本件特許明細書の請求項１ないし９に係る特許は、特許法第２９条第２項の規定に違反してされたものであるから取り消されるべき旨主張している。
　
（３）甲各号証記載の発明
イ、甲第１号証　
　甲第１号証には、その第２頁【０００８】欄に、従来技術としてではあるが、
「従って、上記電子機器では近年において図７に示すようにアーム機構を削除して、スライド枠１０４より直接電子機器のキャビネット１００外に露呈したスライドつまみ１１０を矢印Ｄ方向へ操作することによりスライド枠１０４を摺動させ、ＩＣカード１０２をコネクタ１０８より抜き出し、それと同時に電子機器のキャビネット１００よりＩＣカード１０２の端部１０２ａを表出させる。この端部を操作者がつかみ取ることによりＩＣカード１０２を抜き出すことができるようにしたものが既に実施されている。」
と記載があり、
　図７には、スライドつまみ１１０を矢印Ｄ方向へ操作することによりスライド枠１０４を摺動させ、ＩＣカード１０２をコネクタ１０８より抜き出すことのできるＩＣカード抜取機構について図示されているものと認められる。
　
ロ、甲第２号証
　甲第２号証には、その第４頁左上欄１０〜１８行に、
「第３図において、符号１４で示すものはイジェクト板で、フルサイズメモリカード７着脱方向に摺動可能であり、イジェクト板１４端部の折曲部１４ａによってフルサイズメモリカード７端部を押圧し、フルサイズメモリカード７とカードコネクタ６の嵌合関係を解除する。また、このイジェクト板１４はイジェクトノブ１５のピン１５ａと係合関係にあり、連動してカード着脱方向に摺動する。」
と記載され、
　その第４頁右上欄１〜８行に、
「また、イジェクトノブ１５に設けられた突起リブ１５ｂは電子機器本体１に露出しており、メモリカード装着状態において突起リブ１５ｂを指などでカード取出方向に摺動させると、フルサイズメモリカード７はイジェクト板１４を介してカードコネクタ６との嵌合関係を解除し、取出方向に摺動量分だけ移動した後、指などで簡単に外部へ引き出すことができる。」
と記載され、
　第３図、第５図には、上記記載に沿ったイジェクトノブ１５とイジェクト板１４について図示されているものと認められる。
　
（４）対比・判断
イ、本件発明１について
　本件発明１と甲第１号証記載の発明とを対比すると、甲第１号証記載の「キャビネット１００」は本件発明１の「カードケース」に相当し、以下、同様に「ＩＣカード１０２」は「ＩＣカード」に、「スライド枠１０４」は「カードプッシャー」に、「スライドつまみ１１０」は「操作部材」に、それぞれ相当するから、
両者は、
「カードケースの後端面にカード受口を有し、ＩＣカードを
上記
該操作部材を上記カードプッシャーに当接して
である点で一致し、
　
Ａ，本件発明１が「
カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
　
Ｂ，本件発明１が「挿入されたＩＣカードの
下面に配された
の上記弾性条片の自由端
　
Ｃ，本件発明１が「カードケースの前端面に上記カード受口と対向せるプッシャー案内口を開口させ、
該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、
で相違する。
　
　そこで、相違点Ａについて検討すると、相違点Ａに係る構成はＩＣカードの側面に電極パッドを有する形式のＩＣカード用コネクタにおいて必須且つ周知の構成であり格別の相違ではなく、当業者が必要に応じて採用することのできる設計事項にすぎない。
　
　相違点Ｂについては、上記相違点Ａについての検討と同じく、ＩＣカードの側面に電極パッドを有する形式のＩＣカード用コネクタにおいて必須且つ周知の構成であり格別の相違ではなく、当業者が必要に応じて採用することのできる設計事項にすぎない。
　
　相違点Ｃについては、甲第２号証には記載も示唆もなく、当業者が容易に想到することができるとする理由はない。
　また、この相違点Ｃに係る構成を有することにより、本件発明１は、明細書記載の「装置の小型、軽量化、薄形化に容易に対応することができる」という作用効果を奏するものである。
　
　以上のとおりであるから、本件発明１は、上記相違点Ｃに係る構成を有し、それによって、特許明細書の【００６１】欄記載の効果を奏しうるものであるから、甲第１、２号証記載の発明に基づいて当業者が容易に発明をすることができたものとは認めることはできない。
　
ロ、本件発明２について
　本件発明２と甲第１号証記載の発明とを対比すると、甲第１号証記載の「キャビネット１００」は本件発明２の「カードケース」に相当し、以下、同様に「ＩＣカード１０２」は「ＩＣカード」に、「スライド枠１０４」は「カードプッシャー」に、「スライドつまみ１１０」は「操作部材」に、それぞれ相当するから、
両者は、
「カードケースの後端面にカード受口を有し、ＩＣカードを
上記
該操作部材を上記カードプッシャーに当接して
である点で一致し、
　
Ｄ，本件発明２が「
カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
　
Ｅ，本件発明２が「挿入されたＩＣカードの
下面に配された
の上記弾性条片の自由端
　
Ｆ，本件発明２が「カードケースの天板にプッシャー案内口を開口させ、該案内口内に上記ＩＣカードの前端部を露出させる」ものであるのに対し、甲第１号証記載の発明はＩＣカード１０２の前端部を露出させるものではない点。（以下、「相違点Ｆ」という。）
　
Ｇ，本件発明２が「案内口を通してカードケース外からカード収容室内へ挿入されて上記ＩＣカードの前端面に係合可能に配置した」カードプッシャーを備えているのに対し、甲第１号証記載の発明はＩＣカード１０２の前端部を露出させるものではないことから、カードプッシャーに相当するスライド枠１０４の構成が「案内口を通してカードケース外からカード収容室内へ挿入される」ものとは認められない点。（以下、「相違点Ｇ」という。）
で相違する。
　
　そこで、相違点Ｄ、Ｅについて検討すると、相違点Ｄ、Ｅはそれぞれ本件発明１に係る上記相違点Ａ、Ｂと実質上同じ相違であり、相違点Ｄ、Ｅに係る構成はＩＣカードの側面に電極パッドを有する形式のＩＣカード用コネクタにおいて必須且つ周知の構成であり格別の相違ではなく、当業者が必要に応じて採用することのできる設計事項にすぎない。
　
　相違点Ｆについては、甲第２号証には、特に「ＩＣカードの前端部を露出させる」について記載も示唆もなく、当業者が容易に想到すろことができるとする理由はない。
　そして、この相違点Ｆに係る構成を有することにより、本件発明２は、「カードケースの天板にプッシャー案内口を開口させ、該案内口内に上記ＩＣカードの前端部を露出させる」という簡易な構造を以て明細書記載の「装置の小型、軽量化、薄形化に容易に対応することができる」という作用効果を奏するものである。
　
　相違点Ｇについては、甲第２号証には記載がなく、当業者が容易に想到できるとする理由はない。
　すなわち、上述のように、甲第２号証に記載のものは、カードプッシャーに相当するスライド枠１０４の構成が「案内口を通してカードケース外からカード収容室内へ挿入される」ものとは認められず、本体と一体化しているプッシャーとして作用するイジェクト板１４については記載されているが、外部から簡易にＩＣカードの前端面に係合可能とできる本件発明２の上記相違点Ｇに係る構成が記載されているとまでは認めることができない。
　そして、この相違点Ｇに係る構成を有することにより、本件発明２は、カードプッシャーを「案内口を通してカードケース外からカード収容室内へ挿入されて上記ＩＣカードの前端面に係合可能に配置した」という簡易な構造を以て明細書記載の「装置の小型、軽量化、薄形化に容易に対応することができる」という作用効果を奏するものである。
　
　以上のとおりであるから、本件発明２は、上記相違点Ｆ，Ｇに係る構成を有し、それによって、特許明細書の【００６１】欄記載の効果を奏しうるものであるから、甲第１、２号証記載の発明に基づいて当業者が容易に発明をすることができたものとは認めることはできない。
　
ハ、本件発明３、４について
　本件発明３、４は、上記のとおり本件発明２を引用し、技術的に限定を加えたものであるから、上記「ロ、本件発明２について」において検討した理由と同じ理由により、甲第１、２号証記載の発明に基づいて当業者が容易に発明をすることができたものとすることはできない。
　
（５）むすび
　以上のとおりであるから、本件発明１ないし４についての特許は、特許異議申立ての理由及び証拠によっては取り消すことはできない。。
　さらに、他に本件発明１ないし４についての特許を取り消すべき理由を発見しない。
　よって、結論のとおり決定する。
【異議決定日】
平成１４年１月１６日（２００２．１．１６）
【訂正の要旨】
訂正の要旨
イ、訂正事項１
　願書に添付した明細書（以下、「特許明細書」という。）の特許請求の範囲の欄の【請求項１】、【請求項２】、【請求項４】、【請求項５】、【請求項７】を削除する。
ロ、訂正事項２
　特許明細書の特許請求の範囲の欄の、
「【請求項３】カードケースの後端面にカード受口を有し、ＩＣカードを該カード受口を通してカードケースのカード収容室内へ挿入し、該挿入されたＩＣカードの各電極パッドをカードケース内に設けられた各コンタクトと接触せしめるようにしたＩＣカード用コネクタにおいて、上記カードケースの前端面に上記カード受口と対向せるプッシャー案内口を開口させ、該プッシャー案内口を通してカードケース外からカード収容室内へ挿入されるカードプッシャーを備え、
該カードプッシャーを上記案内口内において上記カード受口へ向け移動することによりＩＣカード前端面を押圧してＩＣカード後端部を上記カード受口から押出す構成とし、上記ＩＣカード用コネクタを内蔵せる機器外壁に操作部材をカード挿抜方向へ往復移動可能に設け、該操作部材を使用者がカード受口へ向けスライド操作することによって上記カードプッシャーをカード受口へ向け押圧移動させ上記ＩＣカードの押出しを行なう構成としたことを特徴とするＩＣカード用コネクタにおけるイジェクト機構。」
を、
「【請求項
１
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、
該操作部材を上記カードプッシャーに当接して
と訂正する。（下線部は訂正個所を示す。以下、同じ。）
ハ、訂正事項３
　特許明細書の特許請求の範囲の欄の、
「【請求項５】上記カードケースの前端面に上記各コンタクトの圧入孔を開口させ、上記各コンタクトの一端に連設された配線回路基板接続用の端子片を上記圧入孔を通してカードケース外に突出させ、上記プッシャー案内口を該コンタクト圧入孔と連設したことを特徴とする請求項３又は４記載のＩＣカード用コネクタにおけるイジェクト機構。」
を、
「【請求項
２
上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、
上記
下面に配された
の上記弾性条片の自由端
該操作部材を上記カードプッシャーに当接して
と訂正する。
ニ、訂正事項４
　特許明細書の特許請求の範囲の欄の、
「【請求項８】上記案内口の前端部をカードケースの前端面において開口させたことを特徴とする請求項６又は７記載のＩＣカード用コネクタにおけるイジェクト機構。」
を、
「【請求項３】上記案内口の前端部をカードケースの前端面において開口させたことを特徴とする請求項
２
と訂正する。
ホ、訂正事項５
　特許明細書の特許請求の範囲の欄の、
「【請求項９】上記カードプッシャーをカードケースの天板上面に案内されてＩＣカード挿抜方向にスライドするように支持したことを特徴とする請求項１又は２又は３又は４又は６又は７記載のＩＣカード用コネクタにおけるイジェクト機構。」
を、
「【請求項４】上記カードプッシャーをカードケースの天板上面に案内されてＩＣカード挿抜方向にスライドするように支持したことを特徴とする請求項
２
と訂正する。
へ、訂正事項６
　特許明細書の発明の詳細な説明の欄の、
「【００１３】上記カードプッシャーは上記ＩＣカード用コネクタを内蔵せる機器外壁にカ一ド挿抜方向へ往復移動可能に設けた操作部材によって作動されるように配置する。例えばカメラの外面に沿いスライド操作できる操作ボタンを上記カードプッシャーと係合可能に配置し、この操作ボタンをカード受口へ向けスライドすることにより上記カードプッシャーを押圧し、前記ＩＣカードをカード受口から押出す。」
を、
「【００１３】上記カードプッシャーは上記ＩＣカード用コネクタを内蔵せる機器外壁にカ一ド挿抜方向へ往復移動可能に設けた操作部材によって作動されるように配置する。例えばカメラの外面に沿いスライド操作できる操作ボタンを上記カードプッシャーと係合可能に配置し、この操作ボタンをカード受口へ向けスライドすることにより
該操作部材を上記カードプッシャーに当接して
と訂正する。
ト、訂正事項７
　特許明細書の発明の詳細な説明の欄の、
「【００１４】又は上記カードプッシャー自身が上記ＩＣカード用コネクタを内蔵せる機器側に設けた操作部材を兼ねる。換言すると上記操作ボタンがプッシャー案内口を通してＩＣカードに作用するカードプッシャーを兼ねることができる。」を削除する。
チ、訂正事項８
　特許明細書の発明の詳細な説明の欄の、
「【００３８】又は上記カードプッシャー１７は上記ＩＣカード用コネクタを内蔵せる機器側に設けた操作手段を形成するように配置する。」を削除する。
リ、訂正事項９
　特許明細書の発明の詳細な説明の欄の、
「【００４１】又は上記カードプッシャー１７自身が操作ボタン２３を兼用するように構成できる。即ちカードプッシャー１７を機器の外壁２２にカード挿抜方向ヘスライド操作可能に設けてカード前端面１６に作用するように配置できる。換言すると、上記操作ボタン２３自身を上記プッシャー案内口１５を通してＩＣカード６の前端面に作用するように配置してカードプッシャー１７として兼用させることができる。」を削除する。
ヌ、訂正事項１０
　特許明細書の発明の詳細な説明の欄の、
「【００４８】又は第１実施形態例と同様に、上記カードプッシャー１７自身を操作ボタンに兼用することができる。上記カードプッシャー１７は一端に受圧部２１′を折曲形成する構造であるから、略カードケース１の厚みの範囲に形成することができ薄形化が可能である。」
を、
「【００４８
】上
と訂正する。
（５４）【発明の名称】
ＩＣカード用コネクタにおけるイジェクト機構
（５７）【特許請求の範囲】
　【請求項１】カードケースの後端面にカード受口を有し、上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、ＩＣカードを上記カード受口を通してカードケースのカード収容室内へ挿入し、該挿入されたＩＣカードの下面に配された各電極パッドをカードケース内に設けられた各コンタクトの上記弾性条片の自由端と接触せしめるようにしたＩＣカード用コネクタにおいて、上記カードケースの前端面に上記カード受口と対向せるプッシャー案内口を開口させ、該プッシャー案内口は上記カードケースの前壁を貫通してカードケース内のカード収容室に連通せしめ、更に該案内口を上記隣接するコンタクト圧入孔間に配すると共に同圧入孔の上部に連続するように連設し、該プッシャー案内口を通してカードケース外からカード収容室内へ挿入されるカードプッシャーを備え、該カードプッシャーを上記案内口内において上記カード受口へ向け移動することによりＩＣカード前端面を押圧してＩＣカード後端部を上記カード受口から押出す構成とし、上記ＩＣカード用コネクタを内蔵せる機器外壁に操作部材をカード挿抜方向へ往復移動可能に設け、該操作部材を使用者がカード受口へ向けスライド操作することによって該操作部材を上記カードプッシャーに当接して上記カードプッシャーをカード受口へ向け押圧移動させ上記ＩＣカードの押出しを行なう構成としたことを特徴とするＩＣカード用コネクタにおけるイジェクト機構。
　【請求項２】カードケースの後端面にカード受口を有し、上記カードケースの前壁に前端面で開口し且つカードケース内のカード収容室に連通するコンタクト圧入孔を並設し、該コンタクト圧入孔にコンタクトを形成する弾性条片と端子片の連設部を圧入固定し、上記弾性条片を該固定部からカード収容室内へ向け延在せしめると共に上記端子片を上記カードケース外に突出させ、ＩＣカードを上記カード受口を通してカードケースのカード収容室内へ挿入し、該挿入されたＩＣカードの下面に配された各電極パッドをカードケース内に設けられた各コンタクトの上記弾性条片の自由端と接触せしめるようにしたＩＣカード用コネクタにおいて、上記カードケースの天板にプッシャー案内口を開口させ、該案内口内に上記ＩＣカードの前端部を露出させると共に、該案内口を通してカードケース外からカード収容室内へ挿入されて上記ＩＣカードの前端面に係合可能に配置したカードプッシャーを備え、該カードプッシャーの上記カード受口方向への移動によりＩＣカードの前端面を押圧してＩＣカード後端部を上記カード受口から押出す構成とし、上記ＩＣカード用コネクタを内蔵せる機器外壁に操作部材をカード挿抜方向へ往復移動可能に設け、該操作部材を使用者がカード受口へ向けスライド操作することによって該操作部材を上記カードプッシャーに当接して上記カードプッシャーをカード受口へ向け押圧移動させ上記ＩＣカードの押出しを行なう構成としたことを特徴とするＩＣカード用コネクタにおけるイジェクト機構。
　【請求項３】上記案内口の前端部をカードケースの前端面において開口させたことを特徴とする請求項２記載のＩＣカード用コネクタにおけるイジェクト機構。
　【請求項４】上記カードプッシャーをカードケースの天板上面に案内されてＩＣカード挿抜方向にスライドするように支持したことを特徴とする請求項２記載のＩＣカード用コネクタにおけるイジェクト機構。
【発明の詳細な説明】
　【０００１】
　【発明の属する技術分野】
　この発明は機器内に装備せるＩＣカード用コネクタに挿入したＩＣカードを、該コネクタから押出すためのイジェクト機構に関する。
　【０００２】
　【発明が解決しようとする課題】
　ＩＣを内蔵せるＩＣカードをパソコンやカメラに内蔵したコネクタに挿入し情報の授受を行なう場合、ＩＣカードを手指で抜き取るようにするか、又はカードコネクタ内に互いにリンク結合した操作レバーとイジェクトレバーを内蔵すると共に、カード受口から操作レバーの端部を突出させて置き、この端部を押圧することによりイジェクトレバーを回動してＩＣカードを押出す方法が採られている。
　【０００３】
　然るに、カードコネクタ内に挿入されてコンタクトと加圧接触し、カード受口から僅かに突出するＩＣカードのエッジ部を手指で引張り抜去する方法は抜去抵抗が大きく抜去し難い問題を有することに加え、ＩＣカードの使用時に同カードの後端エッジ部を手指で把持できるように外方へ露出して置かねばならず、使用中にＩＣカードの露出部に外的衝撃が加わる問題点を内在している。
　【０００４】
　又カードケース内にＩＣカードを押出す操作レバーやイジェクトレバーを内在した場合には、カードケースの外形を大形にする問題点を有することに加えて、該操作レバーの端部をカード受口から突出させて置かねばならない。
　【０００５】
　【課題を解決するための手段】
　本発明は上記問題点を適切に解決する構造を持ち、扁平なＩＣカード用コネクタ内から扁平なＩＣカードを、ＩＣカードとコンタクトの加圧接触に抗して適切に押出すことができる、簡素な構造を持つＩＣカード用コネクタのイジェクト機構を提供する。
　【０００６】
　コネクタ本体は扁平で平面視方形のカードケースから成り、該カードケースはその後端面にカード受口を有する。ＩＣカードは該カード受口を通してケース内に挿入され、ＩＣカードの表面に配置された各電極パッドをカードケース内に設けられた各コンタクトと加圧接触せしめる。
　【０００７】
　上記カードケースの前端面に上記カード受口と対向せるプッシャー案内口を開口させ、該プッシャー案内口を通してカードケース外からカード収容室内へ挿入されてＩＣカード前端面と係合可能に配置されたカードプッシャーを備え、該カードプッシャーを上記案内口内において上記カード受口へ向け移動することによりＩＣカード前端面を押圧してＩＣカード後端部を上記カード受口から押出す構成とする。
　【０００８】
　上記プッシャー案内口はカードケース前端面で開口するコンタクト圧入孔と連設して、僅かな厚みしか有しないカード前端面に両者を併設することを可能とし、各々の開口面積を確保する。
　【０００９】
　又本発明は上記プッシャー案内口をカード天板に設けたイジェクト機構を提供する。このイジェクト機構はカードケースの天板にカードプッシャーの案内口を開口しており、該プッシャー案内口内に上記ＩＣカードの前端部を露出させると共に、該案内口を通してカードケース外からカード収容室内へ挿入されて上記ＩＣカードの前端面に係合可能に配置したカードプッシャーを備え、該カードプッシャーの上記カード受口方向への移動によりＩＣカードの前端面を押圧してＩＣカード後端部を上記カード受口から押出す構成とする。
　【００１０】
　上記イジェクト機構はカードケース内に操作レバーやイジェクトレバー等を内蔵させる場合のようなカードケース自身の厚みや巾の増加を招かず、カードケースに開口させたプッシャー案内口を通し挿入したカードプッシャーでカード前端面を押圧する極めて簡素な構成で、反対側に存するカード受口からカード後端部を確実且つ容易に押出すことができる。
　【００１１】
　上記天板に設けたプッシャー案内口はその前端部をカードケースの前端面において開口させ、カードプッシャーとＩＣカード前端面との係合を確実にすることができる。
　【００１２】
　又上記カードプッシャーはカードケースの天板に案内されてＩＣカード挿抜方向にスライドするように支持できる。
　【００１３】
　上記カードプッシャーは上記ＩＣカード用コネクタを内蔵せる機器外壁にカード挿抜方向へ往復移動可能に設けた操作部材によって作動されるように配置する。例えばカメラの外面に沿いスライド操作できる操作ボタンを上記カードプッシャーと係合可能に配置し、この操作ボタンをカード受口へ向けスライドすることにより該操作部材を上記カードプッシャーに当接して上記カードプッシャーを押圧し、前記ＩＣカードをカード受口から押出す。
　【００１４】
　【００１５】
　上記カードプッシャーはカード受口方向へ移動した時にＩＣカードを該受口から押出し、該押出し位置に停止する。そして再びＩＣカードがカード受口を通し挿入された時、同カードの前端面で上記カードプッシャーを押圧してカード挿入方向へ移動し待機状態を形成する。
　【００１６】
　【発明の実施の形態】
　第１実施形態例（図１Ａ，Ｂ、図２、図３Ａ，Ｂ参照）
　コネクタ本体は扁平で平面視略方形を呈する絶縁材製のカードケース１から成る。該カードケース１は天板２と底板３間に形成されたカード収容室４を有し、該カード収容室４の後端、換言するとカードケース１の後端面において開口するカード受口５を有する。
　【００１７】
　ＩＣカード６は該カード受口５を通してカードケース１内、即ちカード収容室４内へ挿入され、ＩＣカード下面に配置された各電極パッド７をカードケース１内に設けられた各コンタクト８と加圧接触する。
　【００１８】
　ＩＣカード６はメモリー素子たるＩＣチップを保有し、ＩＣカード６の下面に該ＩＣチップの外部端子たる多数の電極パッド７を有する。該電極パッド７をＩＣカード６の挿入方向と直交する方向に並列して配置し、同様に上記コンタクト８をＩＣカード６の挿入方向と直交する方向に並列して配し、ＩＣカード６の挿入終端において前列と後列の各電極パッド７に前列と後列の各コンタクト８が加圧接触する。この加圧接触を介してＩＣカード６と機器内情報処理回路とが接続される。
　【００１９】
　上記コンタクト８は金属板から打抜き曲げ加工された導電条片から成り、その一端側に基端から自由端に向け前上りに傾斜せる弾性条片９を有し、該弾性条片９の自由端に上向きに突出した接触部１０を有し、更に他端側に電子機器内情報処理回路に接続するための端子片１１を有する。
　【００２０】
　上記コンタクト８をＩＣカード６の挿抜方向に延在し且つ該カード挿入方向と直交する方向に多数並設し、前列と後列の各コンタクト８はその基端付近をカードケース１の前壁１２に固定し、上記弾性条片９をコンタクト固定部からカード収容室４内へ向け前上りに傾斜するように延在し、その自由端に設けた接触部１０をカードの挿入軌跡上に配置すると共に、端子片１１をコンタクト固定部たる前壁１２を貫通して外方へ突出している。
　【００２１】
　上記コンタクト８を固定する手段として、上記カードケース１の前壁１２に、カードケース１の前端面１４において開口し且つカード収容室４に連通する多数の圧入孔１３を設け、これをカード挿入方向と直交する方向に並設し、該各圧入孔１３の内壁に上記各コンタクト８の弾性条片９と端子片１１の連設部を圧入し固定する。
　【００２２】
　上記カードケース１はその前端部下面と後端部下面から突出したスタンド２６，２７を有し、両スタンド２６，２７を配線回路基板２８の表面に据え付け、前部スタンド２６の下面に設けた位置決め突起２９を配線回路基板２８に設けた位置決め孔に挿入すると共に、後部スタンド２７にはその下面で開口する雌ねじ孔３０を設け、この雌ねじ孔３０に雄ねじ３２を螺合して配線回路基板２８に締結する。
　【００２３】
　又コンタクト８の端子片１１は各スタンド２６，２７の下面（据付面）に略到達する位置まで下方へ向け延ばし、その下端を略水平方向に折曲して表面実装片３１を形成し、これを配線回路基板２８のリードパターンの表面に半田ペーストを介して融着する。この融着部と前記螺子締めとによりカードケースの前端と後端を強固に固定する。
　【００２４】
　以上の説明は後述する第２乃至第５実施例においても共通する。
　【００２５】
　上記コンタクト圧入孔１３が開口せるカードケース前端面１４に上記カード受口５と対向するプッシャー案内口１５を開口せしめる。該プッシャー案内口１５は前壁１２を貫通してカード収容室４と連通し且つ該カード収容室４内に挿入されたＩＣカード６の前端面１６と対向する。
　【００２６】
　上記ＩＣカード６をカードケース１内から押出す手段としてカードプッシャー１７を備える。該カードプッシャー１７は上記プッシャー案内口１５を通してカードケース外からカード収容室４内へ向け挿入されてＩＣカード６の前端面と係合可能に配置される。
　【００２７】
　該カードプッシャー１７は案内口１５内においてカード挿抜方向に移動可能に設けられ、該カードプッシャー１７を案内口１５内においてカード受口５へ向け移動することにより、換言するとカード抜去方向へ移動することによりＩＣカード前端面１６を押圧してＩＣカード後端部をカード受口５から押出す。このＩＣカード６の押出された部分を手指で把持してカードケース１から完全に抜去できる。
　【００２８】
　上記カードプッシャー１７は上記プッシャー案内口１５を通しカード収容室４内へ向け挿入される加圧板部１８を有し、該加圧板部１８をカードケース１の天板２の内表面に沿わせながらカード抜去方向（カード受口方向）へ向け延ばし、更にカードプッシャー１７は天板２の外表面に沿わせながらカード受口５へ向け延ばした案内板部１９を有し、該案内板部１９の一端部と上記加圧板部１８の一端部をカードケース外において、即ちカードケース前端面１４の側方において連結部２１により連結し、両者１８，１９間に案内溝２０を形成する。
　【００２９】
　カードプッシャー１７は上記案内溝２０内にカードケース１の天板２前端部を挟み込むように装着し、上記加圧板部１８と案内板部１９を上記の通り天板２の内外面に沿わせる。よってカードプッシャー１７は天板２の内面と底板３の内面間に案内されながら、換言するとカード収容室４の上下内壁面に案内されながらカード収容室４内をカード挿抜方向に移動可能である。
　【００３０】
　上記プッシャー案内口１５は複数設け、これに対応して上記加圧板部１８を複数設けることができる。各加圧板部１８はＩＣカード６の前端面１６を均等な力で押圧できるように互いに平行且つ左右対称に配置する。勿論加圧板部１８を単数にする場合を排除するものではない。
　【００３１】
　好ましくは上記加圧板部１８の前端面の厚みをＩＣカード６の前端面１６の厚みと略同一にし、加圧板部１８の前端面をＩＣカード６の前端面１６に当接して押出すようにする。従って加圧板部１８はＩＣカード６の狭い挿入スペース内において移動することができる。
　【００３２】
　カードプッシャー１７を図３Ａに示す待機位置から図３Ｂに示す押出位置までカード受口５へ向け移動することにより、カード加圧板部１８がカードケース１のカード収容室４内に挿入されたＩＣカード６の前端面を押圧し、同カード６の後端部をカード受口５から押出す。
　【００３３】
　カードプッシャー１７は図３Ｂに示すように、加圧板部１８と案内板部１９の連結部２１が天板２の前端面に当接することによりカード受口５へ向けての移動が阻止され、これによりカード押出し量を設定する。
　【００３４】
　ＩＣカード６を押出す位置まで移動されたカードプッシャー１７は、ＩＣカード６がカードケース内に再び挿入された時に、ＩＣカード６の前端面１６で押圧されてカードの挿入に追随し待機位置へ移動され、次のカード押出しに備える。
　【００３５】
　適例として図１Ｂに示すように、上記プッシャー案内口１５をコンタクト圧入孔１３と連続して開口するように設ける。即ち、コンタクト圧入孔１３をカードケース１の前端面１４に狭ピッチで並設し、この隣接する複数のコンタクト圧入孔１３の上部に連続して上記プッシャー案内口１５を設ける。従ってプッシャー案内口１５は隣接する複数のコンタクト圧入孔１３間に亘り連設される。
　【００３６】
　これにより限定された厚みを有するカードケース前端面１４において、コンタクト圧入孔１３とプッシャー案内口１５との併設を可能とし、夫々の開口面積を確保することができる。
　【００３７】
　上記カードプッシャー１７は図３Ａ，Ｂに示すように、上記ＩＣカード用コネクタを内蔵せる機器側に設けた操作手段によって作動されるように配置する。
　【００３８】
　【００３９】
　上記カードコネクタはパソコンやカメラ等の機器内に設けられ、カード受口５を該機器の外壁２２において開口せしめＩＣカード６の挿抜を行なう。
　【００４０】
　上記天板２と対向する機器外壁２２に操作ボタン２３をカード挿抜方向に往復移動可能に設け、該操作ボタン２３を上記カードプッシャー１７に係合可能に配置する。即ち操作ボタン２３の加圧部２５をカードプッシャー１７の連結部２１の外面に当接できるように配し、外壁２２の外表面に露出する操作ボタン２３の操作部２４をカード受口５へ向けスライド操作することにより、加圧部２５が連結部２１を押圧してカードプッシャー１７を同方向へ移動し前記カード押出しを行なう。従って連結部２１は操作ボタンに対する受圧部を形成する。
　【００４１】
　【００４２】
　上記カードプッシャー１７によりＩＣカード６を最大に押出した時、コンタクト８の接触部１０とＩＣカード６の下面とは加圧接触状態にあり、これによりＩＣカード６はカード受口５から飛出し落下することが防止される。使用者はカードプッシャー１７により充分に押出されたＩＣカード６の後端部を手指で把持し僅かに引き出すのみで容易に抜去することが可能である。
　【００４３】
　上記カードプッシャー１７は合成樹脂等の絶縁材にて一体成形して形成する。又はＩＣカードと同等の厚みを有する金属板を打抜いて曲げ加工することにより形成される。
　【００４４】
　第２実施形態例（図４、図５参照）
　この第２実施形態例は第１実施形態例におけるカードプッシャー１７の変形例を示し、カードプッシャー１７以外の構成は第１実施形態例と同一である。
　【００４５】
　この第２実施形態例におけるカードプッシャー１７は第１実施形態例における案内板部１９を有さず、加圧指１８′がカードケース１の前端面１４で開口するプッシャー案内口１５の内面とカードケース天板２の内面を案内として移動する構成としている。
　【００４６】
　上記加圧指１８′は互いに平行にして且つ左右対称に配置し、一端をケース外に置いて互いに連結されており、該加圧指１８′をカードケース前端面１４に開口したプッシャー案内口１５を通してカード収容室４内へ挿入して加圧指１８′の端面をＩＣカード６の前端面と対向するように配置してＩＣカード前端面１６の押圧に供する。
　【００４７】
　又上記加圧指１８′間を連結する連結部を上方へ向け折曲して受圧部２１′とし、この受圧部２１′に機器の外壁２２にスライド操作可能に設けた操作ボタンを係合せしめ、操作ボタンをカード受口５へ向け移動することによりカードプッシャー１７を同方向に移動して加圧指１８′によるカード押出しを図る。
　【００４８】
　上記カードプッシャー１７は一端に受圧部２１′を折曲形成する構造であるから、略カードケース１の厚みの範囲に形成することができ薄形化が可能である。
　【００４９】
　上記構造のカードプッシャー１７はＩＣカード６と略同等の厚みを有する金属板から打抜き、受圧部２１′を折曲加工するだけで製造でき、薄形化に有利である。
　【００５０】
　第３実施形態例（図６、図７参照）
　図６、図７は第２実施形態例におけるカードプッシャー１７の変形例を示している。第２実施形態例においてはカードプッシャー１７の連結端部を上方に折曲して受圧部２１′を形成しているが、第３実施形態例においては受圧部２１′を加圧指１８′と同一平面上に突出させ、カードプッシャー１７全体をフラットな形状にしている。
　【００５１】
　従ってこのカードプッシャー１７は金属板から単に平形に打抜くだけで良く、薄形化に寄与できる。
　【００５２】
　第４実施形態例（図８、図９Ａ，Ｂ参照）
　この第４実施形態例は前記プッシャー案内口１５をカードケース１の天板２に設けた場合を示し、該案内口１５とカードプッシャー１７以外のコネクタの構造は第１実施形態例と同じである。
　【００５３】
　上記天板２に開設したプッシャー案内口１５はその一端がカードケース１の前端面１４の近くまで達し、該案内口１５内にＩＣカード６の前端部を露出せしめる。
　【００５４】
　上記案内口１５を通してカードケース１外からカード収容室４内へ挿入されて上記ＩＣカード６の前端面に係合可能に配置したカードプッシャー１７を備える。該カードプッシャー１７は天板２と対向する機器外壁２２にカード挿抜方向へ移動可能に支持され、その上部に外壁２２の外表面において露出する操作部２４を有し、その下部の加圧部２５が案内口１５を通してカード収容室４内へ挿入されＩＣカードの前端面に係合可能に配置される。
　【００５５】
　上記カードプッシャー１７を図９Ａに示す待機位置から操作部２４を以ってカード受口５へ向かう方向（カード抜去方向）へ移動すると、加圧部２５がＩＣカード６の前端面を押圧し、カード後端部をカード受口５から押出す。
　【００５６】
　上記カードプッシャー１７は機器外壁２２において使用者が操作する操作ボタン２３を兼ねているが、第１実施形態例と同様、ＩＣカード６を押圧するカードプッシャー１７と使用者が操作する操作ボタン２３とを別部材にて形成し、操作ボタン２３のスライド操作によってカードプッシャー１７を作動させるように構成できる。
　【００５７】
　第５実施形態例（図１０、図１１Ａ，Ｂ参照）
　第５実施形態例は第４実施形態例におけるプッシャー案内口１５の変形例を示す。第４実施形態例においてはプッシャー案内口１５をカードケース１の前端面１４の近くまで開設したが、第５実施形態例においては、図１０に示すように上記プッシャー案内口１５の前端をカードケース１の前端面１４において開口させている。換言するとカードケース１の前壁１２を部分的に除去しプッシャー案内口１５の前端を開口させている。
　【００５８】
　この例においては、図１１Ａ，Ｂに示すように、カードケース前壁１２の開口部を通してカードプッシャー１７の加圧部２５を挿入することができ、前壁１２の内面付近まで挿入されているＩＣカード６の前端面１６に加圧部２５を確実に係合させることができる。
　【００５９】
　又カードプッシャー１７の加圧部２５を案内口１５の前端開口部を通してケース内外に移動するように配置することができる。
　【００６０】
　第４、第５実施形態例におけるプッシャー案内口１５は複数設けることができ、この場合にはカードプッシャー１７にも各案内口１５に対応する複数の加圧部２５を設ける。
　【００６１】
　【発明の効果】
　本発明によれば、機器の外壁面においてカードプッシャーをカード受口方向ヘスライドさせる操作方法によりカードケース内のＩＣカードを確実に押出すことができ、又カードケース内にイジェクト機構を形成するレバー類を内蔵する場合のような、カードケース自身の厚みや巾の増加を招かず、薄形化の要望に応えつつ、カードイジェクト目的を達成できる。
　【００６２】
　又カードケース外からカードケースに開口させたプッシャー案内口を通し挿入したカードプッシャーを、案内口内においてカード受口方向へ移動する極めて簡素な構成で上記カード受口からのカード押出目的を達成できる。
【図面の簡単な説明】
　【図１】
　Ａは本発明の第１実施形態例であるＩＣカード用コネクタを示す平面図、Ｂは同コネクタを形成するカードケースの前端面を示す正面図。
　【図２】
　上記ＩＣカード用コネクタの断面図。
　【図３】
　Ａ，Ｂは上記コネクタを機器内に設置した状態を以って示す断面図であり、ＡはＩＣカードの挿入状態、ＢはＩＣカードの押出し状態を示す。
　【図４】
　本発明の第２実施形態例を示すＩＣカード用コネクタの平面図。
　【図５】
　上記コネクタの断面図。
　【図６】
　本発明の第３実施形態例を示すＩＣカード用コネクタの平面図。
　【図７】
　上記コネクタの断面図。
　【図８】
　本発明の第４実施形態例を示すＩＣカード用コネクタの斜視図。
　【図９】
　上記コネクタの断面図であり、ＡはＩＣカード挿入状態、ＢはＩＣカード押出し状態を夫々示す。
　【図１０】
　本発明の第５実施形態例を示すＩＣカード用コネクタの斜視図。
　【図１１】
　上記コネクタの断面図であり、ＡはＩＣカード挿入状態、ＢはＩＣカード押出し状態を夫々示す。
　【符号の説明】
　１　　　　　カードケース
　２　　　　　天板
　３　　　　　底板
　４　　　　　カード収容室
　５　　　　　カード受口
　６　　　　　ＩＣカード
　７　　　　　電極パッド
　８　　　　　コンタクト
　９　　　　　弾性条片
　１０　　　　接触部
　１１　　　　端子片
　１２　　　　カードケース前壁
　１３　　　　コンタクト圧入孔
　１４　　　　カードケース前端面
　１５　　　　プッシャー案内口
　１６　　　　ＩＣカード前端面
　１７　　　　カードプッシャー
　１８　　　　加圧板部
　１８′　　　加圧指
　１９　　　　案内板部
　２０　　　　案内溝
　２１　　　　連結部
　２１′　　　受圧部
　２２　　　　機器外壁
　２３　　　　操作ボタン
　２４　　　　ボタン操作部
　２５　　　　加圧部
　２６，２７　スタンド
　２８　　　　配線回路基板
　２９　　　　突起
　３０　　　　雌ねじ孔
　３１　　　　表面実装片
　３２　　　　雄ねじ